(57)【要約】【課題】給湯給水に使用される内面が硬質でフラットな架橋ポリエチレンホースに、金属製のタケノコを挿入し、その接触部をホース外周部から硬質な架橋ポリエチレンホースと金属製タケノコを同時に加締めることにより止水する接続方法を提案する。【解決手段】複合内面架橋ポリエチレンホース６に接続金具１とをつなぐために介在する金属製タケノコ４には波形突起部谷部に１個又は複数のＯリング８が存在しており、その金属製タケノコ４を複合内面架橋ポリエチレンホース６に挿入し、金属製スカート５の外周部から加締めることで金属製タケノコ４の波形突起部谷部に１個又は複数のＯリング８が存在していることから、金属製タケノコ４と複合内面架橋ポリエチレンホース６がより密着して良好に止水・接続することができる。【選択図】図１
2005030554.tif 000002
【特許請求の範囲】
【請求項１】
内面が硬質でフラットな架橋ポリエチレンホースに金属製タケノコを挿入した後、内面が硬質でフラットな架橋ポリエチレンホースと金属製タケノコの接触部外周から加締めて止水・接続する方法。
【請求項２】
金属製タケノコの波形突起部谷部の１個又は複数のゴム製Ｏリングは金属製タケノコの波形突起部谷部に山部に沿う形か、又は波形突起部谷部の円周上に環状溝が形成されていて、その溝内に嵌まり込み環状溝部上端より突出して存在しているものからなる請求項１の止水・接続方法。
【請求項３】
内面が硬質でフラットな架橋ポリエチレンホースにポリプロピレン（ＰＰ）を補強芯として巻きつけ、その外装をエラストマー材で被覆している複合内面架橋ポリエチレンホースと接続金具を一体としてつなぐ為に介在する金属製タケノコのホース挿入側円周上にある波形突起部の谷部にゴム製の１個又は複数のＯリングを存在させている金属製タケノコを、内面が硬質でフラットな複合内面架橋ポリエチレンホースに挿入し、その接触部外周から同時に加締めて止水し接続する請求項１〜２の止水・接続方法。
【発明の詳細な説明】
【技術分野】
【０００１】
本発明は、複合内面架橋ポリエチレンホースを止水・接続する方法に関する。
【背景技術】
【０００２】
従来のゴムホース、ビニールホース、エラストマー材ホース、軟質塩ビホース等にホースと接続金具を一体としてつなぐ為に介在する金属製タケノコを挿入して接続する際、全てのホース表面がやわらかい為、ホースバンド等を使用したり加締める等して、接続している外周部を強固な力で締め付けてやるとホースにシール性があるので、止水することができる。
【０００３】
しかし、複合内面架橋ポリエチレンホースに金属製タケノコを挿入し従来通り加締める等した場合、硬いものどうしなのでシール性がなく漏水する可能性がある。従来同様のホース側のシール性に期待する方法では止水することは望めない。
【０００４】
そのため複合内面架橋ポリエチレンホースと金属製タケノコの間にＯリングを介在させ、その複合内面架橋ポリエチレンホースと金属製タケノコの圧着によりＯリングを変形させることで止水している。
【０００５】
この複合内面架橋ポリエチレンホースに挿入される金属製タケノコには、ホース挿入側円周上に環状溝が形成されていて、その環状溝内にゴム製のＯリングが複合内面架橋ポリエチレンホース挿入時のシール材として環状溝部上端より突出して介在している。
【０００６】
ところが、この環状溝部上端より突出しているＯリングは金属製タケノコが複合内面架橋ポリエチレンホースに挿入される際、そのホース内面に密着しながら環状溝内を動くのでＯリング自体がねじれたり若しくは溝部より外れてしまい十分に止水することができない可能性が出てくる。
【０００７】
また、ホース内径と金属製タケノコ波形突起部山部の外径の公差はわずかしかなく、突出したＯリングは金属製タケノコがホースに挿入される際にかなりの変形をもって挿入されるか若しくはＯリング自体にキズがつく可能性が出てくるので、Ｏリング自体の止水機能を十分に発揮させるように挿入するにはかなり技術的なものが必要となる。
【０００８】
そのことから金属製タケノコを複合内面架橋ポリエチレンホースに挿入する組立時には、挿入前挿入後共に十分にＯリングの状態とその位置に気を配らなければならない。
【発明の開示】
【課題を解決するための手段】
【０００９】
本発明は以上の事情の下で考えられたものであり、従来通りの方法を元に安価で良好に止水・接続できる方法を提供することを目的としている。
【００１０】
そこで複合内面架橋ポリエチレンホースと接続金具を一体としてつなぐ為に介在する金属製タケノコのホース挿入側円周上にある波形突起部の谷部にゴム製の１個又は複数のＯリングを存在させる。
【００１１】
この１個又は複数のゴム製Ｏリングは金属製タケノコの波形突起部谷部に山部に沿う形か、又は波形突起部谷部の円周上に環状溝が形成されていて、その溝内に嵌まり込み環状溝部上端より突出して存在している。
【００１２】
いずれの波形突起部谷部に存在する１個又は複数のＯリングは、金属製タケノコを複合内面架橋ポリエチレンホースに挿入される組立時には波形突起部山部よりも低い位置に存在する為移動したりすることはない。
【００１３】
また、波形突起部谷部に存在する１個又は複数のＯリングは、金属製タケノコと共に複合内面架橋ポリエチレンホースに挿入された時点では金属性タケノコの波形突起部山部より低い位置に存在する為シール性はないが、複合内面架橋ポリエチレンホースに金属製のタケノコを挿入し、その接触部を複合内面架橋ポリエチレンホースの外周部から同時に加締めた時、金属製のタケノコの波形突起部谷部に１個又は複数のＯリングが存在することにより、金属性タケノコと複合内面架橋ポリエチレンホースが金属製タケノコの波形突起部谷部により密着して良好に止水することができる。
【発明の効果】
【００１４】
金属製タケノコの波形突起部谷部にＯリングを存在させることにより、複合内面架橋ポリエチレンホースに挿入する際Ｏリング自体にねじれ又はキズの心配も無くなり、ホース挿入後もＯリングの状態を気にかける必要もなくなる。それにより組立時には技術的なものは必要ない。
【００１５】
また、複合内面架橋ポリエチレンホースに金属製のタケノコを挿入し、その接触部を複合内面架橋ポリエチレンホースの外周部から同時に加締めることで、金属製のタケノコの波形突起部谷部に１個又は複数のＯリングが存在することで、複合内面架橋ポリエチレンホースが金属製タケノコの波形突起部谷部により密着して良好に止水することができるので止水機能は確実に向上している。
【００１６】
また従来使用していた金属製タケノコを再利用することも可能であるため別途金属製タケノコを製作する為に費用は発生しない。また組立の際に使用する設備に関しても同様である。
【００１７】
以上のことから、総体的に従来品と同等以上の安定した止水機能をもった安価な製品を提供することができる。
【発明を実施するための最良の形態】
【００１８】
本発明に係る複合内面架橋ポリエチレンホースの止水・接続方法を図に基づいて説明する。主に図１を製品組立手順及び製品解説に使用し、図２は図１の補足として使用する。
【００１９】
ここでの複合内面架橋ポリエチレンホース６は硬質で内面がフラットな架橋ポリエチレンホースにポリプロピレン（ＰＰ）図２の２を補強芯として巻きつけられており、その外装をエラストマー材図２の３で被覆している。そして圧力が複合内面架橋ポリエチレンホース６にかかった際に、耐圧も兼ねて鋼線ブレード７を被覆している。
【００２０】
相手方（不図示）に接続するための接続金具袋ナット１と複合内面架橋ポリエチレンホース６とを繋ぐ為に介在する金属製タケノコ４には、ホース挿入側円周上に波形突起部がありその波形突起部谷部にゴム製の１個又は複数のOリング８が存在している。
【００２１】
この金属製タケノコ４の波形突起部に存在するゴム製の１個又は複数のOリング８は金属製タケノコ４が複合内面架橋ポリエチレンホース６に挿入された時点では、波形突起部山部より低い位置に存在するのでセットされた位置から動くことはなく、またシール性もない。
【００２２】
金属製スカート５は薄肉状のパイプで金属製タケノコ４とほぼ同じ長さを持ち、片側は鋼線ブレード７を被覆した複合内面架橋ポリエチレンホース６を挿入させるだけの内径を持っている。もう片側は加締めた際に金属製タケノコ４の抜け止めも兼ねる為、組立時に金属製タケノコ４の波形突起部山部が通過できるだけの小穴径を持っている。
【００２３】
また、この金属製スカート５は加締められた時に鋼線ブレード７と金属製タケノコ４の抜け止めに存在するということは公知である。
【００２４】
接続金具袋ナット１に波形突起部に１個又は複数のOリング８を存在させている金属製タケノコ４を組み込み、金属製スカート５の小穴径を接続金具袋ナット１側になるよう金属製タケノコ４に挿入する。
【００２５】
次に鋼線ブレード７を被覆している複合内面架橋ポリエチレンホース６を金属製スカート５に挿入する。この時、同時に金属製タケノコ４は複合内面架橋ポリエチレンホース６に挿入されている。
【００２６】
鋼線ブレード７を被覆している複合内面架橋ポリエチレンホース６が完全に挿入されたことを確認後、金属製スカート５の外周部から強く加締める。
【００２７】
金属製スカート５の外周部から強く加締められた時、金属製タケノコ４の波形突起部谷部に１個又は複数のＯリング８が存在していることにより、金属製タケノコ４と複合内面架橋ポリエチレンホース６が金属製タケノコの波形突起部谷部により密着して良好に止水・接続することができる。
【００２８】
また、上記実施例では接続金具に袋ナットを用いて例としたが相手方接続金具に応じて、また接水面である内面が硬質な架橋ポリエチレンホースの止水・接続に関しては本発明の趣旨を逸脱しない範囲で種々変更を加えた形態で構成可能である。
【図面の簡単な説明】
【００２９】
【図１】製品組立手順及び製品解説図である。
【図２】複合内面架橋ポリエチレンホース部拡大断面図である。
【符号の説明】
【００３０】
１  袋ナット
２  ゴムパッキン
３  シートパッキン
４  タケノコ
５  スカート
６  複合内面架橋ポリエチレンホース
７  鋼線ブレード
８  Ｏリング
【図１】
2005030554.tif 000003
【図２】
2005030554.tif 000004